Podtech/llm-jp-corpus-v4-ja_patent huggingface dataset:
(57)【要約】      （修正有）【課題】前以って出かける前に身支度を整えるために衣服及び身に着ける小物を一式セットにして事前に準備し、翌日使用する衣類や小物を着装する収納器具を提供する。【解決手段】収納引出し６前面には中に収納する小物名称７が添付されている。この小物表現方法は、個人個人によってより効果のある表示をし、収納する中身も選択する事が出来るようにする。マネキンに翌日使用するスーツ、ワンピース、ハンカチ、靴下、ネクタイ等の衣類を装着、次にマネキン内部に組み込まれている収納ケースに自分自身が身に着ける小物を収納ケース前面に添付された名称に基づいて収納する。【選択図】図５
0003137034.tif 000002
【実用新案登録請求の範囲】
【請求項１】
上半身部分で構成されるマネキンであって、その胸部へ２以上の引き出しを有する収納ケースを組み込み、収納ケースには日常携帯する物の名称を表示したことを特徴とする収納ケース付きマネキン。
【請求項２】
前後面又は前面部のみの張子型ボデイの上半身部で構成されるマネキンであって、その胸部へ２以上の引き出しを有する収納ケースを組み込み、収納ケースには日常携帯する物の名称を表示したことを特徴とする収納ケース付きマネキン。
【請求項３】
請求項１、２記載の収納ケース付きマネキンにおいて、その天部へ吊り下げ用フックを設けたことを特徴とする収納ケース付きマネキン。                                  
【請求項４】
請求項１、２記載の収納ケース付きマネキンにおいて、その底部にスタンドを設け自立できることを特徴とする収納ケース付きマネキン。                                  
【請求項５】
上記マネキン腰部に、棒状の掛具を取り付けたことを特徴とする請求項１から請求項４記載の収納ケース付きマネキン。
【考案の詳細な説明】
【技術分野】
【０００１】
本考案は、外出時に忘れ物を防止するための収納器具に関する。
【背景技術】
【０００２】
自宅を出てから、いつも身に着けている財布や定期券、免許証、名刺入れ、筆記用具等を忘れて慌てて戻ったり、諦めて不自由な一日を過したりした経験のある人が過去に必ずいると思います。そして、その都度再び忘れ物はするまいと誓いながら同じ間違いを繰り返すのも又、人間です。
【考案の開示】
【考案が解決しようとする課題】
【０００３】
自宅を出る前に、もう一度忘れ物が無いかを意識させる手段が何か有るのではないかと 考え、原点に戻って、人間は何故忘れるのか、何故気が付かないのかを思い起して見ました。日常携帯するものを忘れないためには、必要なものが外出前にすべて準備され、外出時にはそれらを身に着けるだけにすることで、忘れ物はかなり減少するが、現状ではそれらのものは、位置が定められておらず様々なところへ置かれており、すべてを忘れずに身に着けることが困難な場合が多い。
【課題を解決するための手段】
【０００４】
本考案は、前以って出かける前に身支度を整えるために衣服及び身に着ける小物を一式 セットにして事前に準備し、精神的に落ち着いた状態でゆとりある一日のスタートがきれ る事を目的としたものである。
【０００５】
本考案は、上記目的を達成するために自宅に戻って着替え時又は就寝前に専用のマネキンに、翌日使用する衣類や小物を着装することで、事前に必要なものを用意できるようにすることで、忘れ物を防止するものである。
【０００６】
先ず、目的にあったマネキンにスーツ、ワンピース等の翌日着る衣類を着せ、更に必要なネクタイ、ハンカチ、靴下、その他衣類を準備する。
【０００７】
より愛着を感じるマネキンの胸部に引出し式の収納ケースを組み込んでおく、そして、この収納ケースに日常身に着ける必要な小物を収納して事前に精神的なゆとりを持たせる。
【０００８】
収納ケースは形状、大きさ、材料、色等でフレキシブル性を持たせることも可能である    。
【０００９】
マネキンに組み込んだ引出し式収納ケースにはその中に保管する物の名称を表示する。  
【００１０】
人それぞれには個別の住環境がある、そこでマネキンもクローゼットの中に収納して用いることが出来るハンガータイプのマネキンとリビングの一角に設置するスタンド式のマネキンを用意する事により個別の住環境に対応出来、楽しみながら身支度が出来る。
【考案の効果】
【００１１】
上記したように本考案の収納ケース付きマネキンによって身支度を整える事により忘れ物をせずにすます事が可能になり、心にゆとりを与え、快適な朝のスタートが約束されます。
【００１２】
朝、自宅を出る前に精神的にゆとりを持つ事によりその日一日の仕事も対人関係も全てに良い影響を与え、有形、無形のすばらしい効果をもたらす。
【００１３】
またマネキンも用途別に男性用、女性用、子供用、大人用、更に体型別と範囲を広げて整え、個性を持たせて個別に管理すると、恰も着せ替え人形のように楽しみながら、更に事前準備をより完璧にする事が出来る。
【考案を実施するための最良の形態】
【００１４】
以下、本考案の実施の形態を図１〜図５に基づいて説明する。
【００１５】
図１から図３においては、１、２マネキン本体（ハンガータイプ）で、３マネキン本体（スタンドタイプ）で構成されている。
【００１６】
図４における５は収納ケースでマネキン本体に組み込まれており、用途別の収納引出し６が組み込まれている。
【００１７】
図１及び図３における４はマネキン本体腰部に組み込まれているズボン、スカート掛を表わす。
【００１８】
収納引出し６前面には中に収納する小物名称（例）７が添付されている、この小物表現方法は、個人個人によってより効果のある表示をし、収納する中身も選択する事が出来るようにする。
【００１９】
以下、先ずマネキンに翌日使用するスーツ、ワンピース、ハンカチ、靴下、ネクタイ等の衣類を装着、次にマネキン内部に組み込まれている収納ケースに自分自身が身に着ける小物を収納ケース前面に添付された名称に基づいて収納する。
【図面の簡単な説明】
【００２０】
【図１】マネキン本体ハンガータイプ正面図
【図２】マネキン半張子型本体斜視図
【図３】マネキン本体スタンドタイプ正面図
【図４】収納ケースを示す斜視図
【図５】衣類を含めた装着実施例の斜視図
【符号の説明】
【００２１】
１     マネキン前後面型本体（ハンガータイプ）
２     マネキン前面張子型本体（ハンガータイプ）
３     マネキン前後面型本体（スタンドタイプ）
４     ズボン掛：スカート掛
５     収納ケース
６     収納引出し
７     小物名称（例）
８     スーツ
９     ネクタイ
１０   ワイシャツ
１１   ズボン
【図１】
0003137034.tif 000003
【図２】
0003137034.tif 000004
【図３】
0003137034.tif 000005
【図４】
0003137034.tif 000006
【図５】
0003137034.tif 000007
(57)【要約】      （修正有） 【課題】安価な間伐材を用いて大量生産が可能で防水性及び断熱性に優れかつ設置現場で組立て施工が可能な貯水槽を提供する。【解決手段】間伐材による周側板及び底板を成型し、周側板を竹釘で５〜６枚を一まとめにし積み上げた状態にする。底板も予め３分割に組んでおきトラックに積み、現地へ運び込む。積み上げた周側板を組立て、円筒状に仕立てて締め具としてタガを用いて仮締めする。３分割の底板も一つの円形に組み仮締めをしたタガを一度緩め円筒形の下から底板を入れて嵌め込む。緩めたタガを本締めした後、貯水袋を上から納める。周側板に添わせて取水口、出水口、ドレン、オーバーフローのバルブを取付け配管して行く。最後に蓋を取付ける。【選択図】図１
0003137040.tif 000002
【実用新案登録請求の範囲】
【請求項１】
間伐材からなる周側板を間伐材からなる底板の外周に組立て締め具にて締結してなる円筒形貯水槽。
【請求項２】
内部に貯水袋を備えた事を特徴とする請求１記載の円筒形貯水槽。
【考案の詳細な説明】
【技術分野】
【０００１】
この考案は例えば、中水又は上水を貯留する円筒形貯水槽に関する。
【背景技術】
【０００２】
従来、大型の一体型貯水槽はコンクリート製やホーロー製が主流でホーロー製に関しては現場に設置する際はトラック及びクレーン車での搬入が不可欠であり搬入路の確保が困難な農地では望まれるタンクの設置ができなかった。
【０００３】
また、家庭においては簡便な貯水槽がないので中水を直接河川に流すのみで生活用水として活用できなかった。
【０００４】
桶や樽の技術を使えば現場組立てが可能であるが、通常、無節材等の高品質の木材を使用するので材料コストが嵩み貯水槽として用いるには実用的ではなかった。しかし、安価な間伐材を用いればコストの問題は解消されるが防水面や耐久性に問題があった。
【０００５】
この問題を解決する方法として、板材にゴムや合成樹脂のライニング層を施す方法が提案されている。（特許文献１）しかし、ライニング層を施すにはコストが嵩み、更に使用時に板材の収縮率とライニング層の収縮率の違いにより板材からライニング層が剥離して防水性が損なわれてしまう欠点を有していた。
また、木材の代わりにアルミニウム押出形材、合成樹脂、またはＦＲＰ板を板材として用い内部に貯水袋を備える方法が提案されている。（特許文献２）
更に、コンクリートセグメントを組立てた後内壁を防水施工する方法が提案されている。（特許文献３）
【特許文献１】実開昭４９-１４５１３号公報
【特許文献２】特開平９-１１００８７号公報
【特許文献３】実開昭４９−２５２３３号公報
【考案の開示】
【考案が解決しようとする課題】
【０００６】
本考案が解決しようとする課題は安価な間伐材を用いて現場で施工でき、断熱性や長期の防水性に優れた貯水槽を提供する事にある。
【０００７】
近年、森林保全をしている山間部の森林の手入れが行き届かなくなり木材質の低下や森林管理の崩壊が懸念される。森林管理により発生する間伐材も有効には活用されていなかった。
【０００８】
水利調整機能が働かず、集中豪雨による中水が直接河川に流出し水資源を無駄にしている。河川への直接流入で都市洪水が起こる可能性もあり災害や突発的に起こり得る乾期の水不足の不安が拭えない。
【０００９】
そこで、大雨が降ったときに中水を貯め河川や下水に流れる中水を調整し水害を未然に防止する水利調整機能を備えた貯水槽の開発が望まれていた。
【課題を解決するための手段】
【００１０】
間伐材からなる周側板を間伐材からなる底板の外周に組立て締め具にて締結してなる円筒形貯水槽で内部に貯水袋を備えている円筒形貯水槽を提供する。
【考案の効果】
【００１１】
農地や家庭で中水を管理する事で浄化水道水の節約ができ降雨による河川への直接流入も緩和する事が可能になり、災害時の防災水源としても使える様になる。近年の気候変動から突発的に起こり得る集中降雨と乾期の水不足対策にも貢献できる。
【００１２】
現場で組立てるので搬入が簡単で設置場所の狭い所でも大きな貯水槽を設置する事が出来る。また、間伐材を用いて一定の規格に基づき大量生産が出来るので価格が安くなる。
【００１３】
また、内部に例えばポリエチレン等のプラスチック製の貯水袋を備える事で防水性を高める事が出来る。
【００１４】
以上のように、本考案の円筒形貯水槽を利用することで農地の効率化が図れ山間部の活性化が可能になり都市部での中水管理によって浄化水道水の節約にも繋がる。
中水の河川への直接流入も緩和でき災害時の防火用水や水不足対策にもなる。
【考案を実施するための最良の形態】
【００１５】
木材はすべて加圧注入防腐木材とする。
処理方法は、ＪＩＳ  Ａ  ９００２による。
使用薬剤は、ＪＩＳ  Ｋ  １５７０を使用する。
【００１６】
以下、図面に基づいて本考案の実施例を説明する。
間伐材による周側板及び底板を成型し、周側板を竹釘で５〜６枚を一まとめにし積み上げた状態にする。底板も予め３分割に組んでおきトラックに積み、現地へ運び込む。積み上げた周側板を組立て、円筒状に仕立てて締め具としてタガを用いて仮締めする。３分割の底板も一つの円形に組み仮締めをしたタガを一度緩め円筒形の下から底板を入れて嵌め込む。緩めたタガを本締めした後、貯水袋を上から納める。周側板に添わせて取水口、出水口、ドレン、オーバーフローのバルブを取付け配管して行く。最後に蓋を取付ける。
【図面の簡単な説明】
【００１７】
【図１】円筒形貯水槽の上部・側面図である。
【図２】貯水袋の上部・側面図である。
【符号の説明】
【００１８】
１          周側板
２          底板
３          タガ
４          止め具
５          貯水袋
６          蓋
７          桟
８          取水口
９          オーバーフロー
１０        出水口
１１        ドレン
１２        防水シート
１３        オーバーフロー
１４        取水口
１５        出水口
１６        ドレン
１７        ハトメ
【図２】
0003137040.tif 000003
【図１】
0003137040.tif 000004
(57)【要約】      （修正有）【課題】色々な路線工事に於ける触車事故を未然に防止する為に遠く離れて作業する路線工事者に危険を知らせる路線工事見張装置である。【解決手段】列車通過予定の路線脇に電波送信器１を設置して、列車の通過をセンサーが検知すれば瞬時に離れた所で作業している路線作業者に、音声によるスピーカーと赤色ランプで危険を知らせ、事故を未然に防止できる。【選択図】図１
0003137082.tif 000002
【実用新案登録請求の範囲】
【請求項１】
路線の側面に直接に電波送信器等を取り付けてセンサーにて列車等の通過を検知して有線で直接にスピーカーと赤色ランプで路線作業者に危険を知らせる事を特徴とした路線工事見張装置。
【考案の詳細な説明】
【技術分野】
【０００１】  本考案は、汽車，電車等の路線工事作業に於ける触車事故を未然に防止する為に、列車の通過を電波送信器にてキャツチして離れて作業をしている作業者に素早く警報を発して危険を知らせる無人化装置に関するものである。
【背景技術】
【０００２】  従来の路線工事に於ける触車事故の予防方法は路線工事作業者の近くに専門の見張り役をおいて列車を目視にてキャツチするとハンドマイク等で作業者に危険を知らしていたが、見張り役の見落とし等で依然として年間数百人の作業者が事故に遭遇していた。
【考案の開示】
【考案が解決しようとする課題】
【０００３】  路線工事には、レール交換、通信線交換、伝送線工事等いろいろあり、また列車も定刻通過もあれば臨時通過もあり、時には工事車輌等も通過するために見張り番だけでは見落としがあり恒久対策が経営課題のひとつでもありました。
【課題を解決する手段】
【０００４】  本考案は、路線工事を行う路線の離れた所に列車の接近、通過をキャツチする電波送信器を取り付けて遠く離れた工事作業者には警報スピーカー及び警報赤色ランプの旋回等で危険を知らせることで事故を未然に防止するものである。
【考案の効果】
【０００５】  上述の様に、本考案は路線を通過するいかなる列車でも的確にキャツチして遠く離れた所の工事現場にもすばやく危険を知らせる事が出来、しかも無人化出来る事で、信頼性及び経営的にも多大の効果が期待できる。
【考案を実施するための最良の形態】
【０００６】  通常の電波送信器を線路の脇に風圧等で倒れないように又列車に干渉しないように固定する、また、離れた所に設置する警報器とは正確性を高める為に有線ケーブルで信号を伝達するように制御回路を形成する、これらの制御用の電源は長寿命の携帯用バツテリーを収納して長時間の工事にも対応できるものとする。
【実施例】
【０００７】  以下、添付図面に従って一実指例を説明する。〔図１〕により１は電波送信器を示す、２はケーブル巻き取器を示す、３は警報装置を示す、夫々はケーブル線を通して電気信号を伝達できる。【０００８】  〔図２〕により、電波送信器は列車の通過場所に約２メートル程度離れた所に杭などで倒れないように固定する、送信器の高さは電波を感知できるよう列車の中間点を狙うようにセツトする、【０００８】  〔図５〕により、ケーブル巻き取器の右側の２ａケーブル右のプラグは電波送信器の１ｅプラグ差込口に差し込まれてあり２ｃバツテリー収納部より電流が流れており常に電波を投光している。【０００９】  〔図７〕により、警報機の側面にある３ｅプラグ差込口にはケーブル巻き取器の２ａ左ケーブルのプラグガ差し込まれてあり２ｃバツテリー収納部より電流がながれており常に警報器の警報を発する状態にある。【００１０】  上述のような状態が保たれている時に列車が接近してくると先ず、１の電波送信器のセンサーが感知して２ケーブル巻取器内の２ｆ制御装置を介して瞬時に３警報器に信号が伝達されることにより、警報器内の３ａ警報スピーカーと３ｂ赤色警報ランプにより、大きな発声と、強力な赤色ランプが旋回して近くで作業をしている工事作業者に危険を知らせる事が出来る。
【図面の簡単な説明】
【００１１】
【図１】  本考案の列車無人見張装置のイメージ図を示す。
【図２】  電波送信器の取り付状態図を示す。
【図３】  電波送信器の側面図を示す。
【図４】  電波送信器の上面図を示す。
【図５】  ケーブル巻き取器側面図を示す。
【図６】  ケーブル巻き取器のＺ矢視図を示す。
【図７】  警報器の正面図を示す。
【図８】  警報器の側面図を示す。
【符号の説明】
【００１１】  １    電波送信器
１ａ  電波送信部
１ｂ  本体部
１ｃ  脚
１ｄ  杭
１ｅ  プラグ差込口
２    ケーブル巻き取器
２ａ  ケーブル（右、左）
２ｂ  ケーブルリール（右、左）
２ｃ  バツテリー収納部
２ｄ  電源ケーブル（右、左）
２ｅ  本体部
２ｆ  制御装置部
３    警報器
３ａ  警報スピーカー部
３ｂ  赤色警報ランプ部
３ｃ  本体部
３ｄ  防雨カバー
３ｅ  プラグ差し込口
【図１】
0003137082.tif 000003
【図２】
0003137082.tif 000004
【図３】
0003137082.tif 000005
【図４】
0003137082.tif 000006
【図５】
0003137082.tif 000007
【図６】
0003137082.tif 000008
【図７】
0003137082.tif 000009
【図８】
0003137082.tif 000010
【手続補正書】
【提出日】平成19年8月4日(2007.8.4)
【手続補正１】
【補正対象書類名】実用新案登録請求の範囲
【補正対象項目名】全文
【補正方法】変更
【補正の内容】
【実用新案登録請求の範囲】
【請求項１】
路線の側面に取り付けた電波送信器から赤外線を照射させて、列車の通過で赤外線を遮ると電波送信器の回路が異常信号を発信して有線回路で直接スピーカー、及び赤色ランプで路線作業者に危険を知らせる事を特徴とした路線工事見張装置。
(57)【要約】      （修正有）【課題】コップの中にスプーンを入れて飲むと飲みにくい。スプーンを出すと置く場所がよごれる。【解決手段】スプーンがコップの溝にひっかかり飲むのにじゃまにならない。飲む時、スプーンを取り出さなくてもよく、大変便利だ。【選択図】図２
0003137081.tif 000002
【実用新案登録請求の範囲】
【請求項１】
ここから書き始めます。
飲む時、スプーンを固定出来るコップ
【考案の詳細な説明】
【技術分野】  （注）見出しの横には何も記載しないで下さい。【０００１】  （注）段落番号の横には何も記載しないで下さい。
ここから書き始めて下さい。
【背景技術】
【０００２】
【考案の開示】
【考案が解決しようとする課題】コップの中にスプーンがあると、飲みづらい。
【課題を解決するための手段】コップに溝を付けた。
【考案の効果】スプーンが固定されづれない。
【考案を実施するための最良の形態】
【実施例】
【産業上の利用可能性】スプーンを取り出し、置き場所を探す必要がなくなり、大変便利。
【図面の簡単な説明】
【図１】
【符号の説明】
【図１】
0003137081.tif 000003
【図２】
0003137081.tif 000004
【手続補正書】
【提出日】平成19年8月13日(2007.8.13)
【手続補正１】
【補正対象書類名】実用新案登録請求の範囲
【補正対象項目名】全文
【補正方法】変更
【補正の内容】
【実用新案登録請求の範囲】
【請求項１】
溝を付けたコップ
【手続補正２】
【補正対象書類名】明細書
【補正対象項目名】全文
【補正方法】変更
【補正の内容】
【考案の詳細な説明】
【考案が解決しようとする課題】
【０００１】コップの中にスプーンがあると、飲みづらい。
【課題を解決するための手段】
【０００２】コップに溝を付けた。
【考案の効果】
【０００３】スプーンが固定されづれない。
【産業上の利用可能性】
【０００４】スプーンを取り出し、置き場所を探す必要がなくなり、大変便利。
【図面の簡単な説明】
【０００５】
【図１】は  溝付きコップの図である。
【図２】はスプーンが固定された図である。
(57)【要約】      （修正有）【課題】本案件は防水加工紙袋の裏側部分に粘着テープ付のシールを取り付け、使用後封が出来る様にして、袋の上部開閉口からの漏れを防止することで色々な用途に活用できる袋にする。【解決手段】防水加工紙袋の裏側２の上部に折り目線を設け、その折り目線７の線下に粘着テープ付シール８を設けた。袋の閉じ方の説明を記すことで、簡単に封をすることが出来る。使用後シール８を剥がし、折り目線を折ると自然にシール８に付着して簡単に封が出来る。シール８は紙製であるため、袋を捨てる時シール８を付けたままでも燃えるごみとして捨てることが出来る。また、シール８の両端は下の粘着テープに付着しないように加工してある為、簡単にシール８を剥がすことが出来、封をすることが出来る。【選択図】図２
0003137088.tif 000002
【実用新案登録請求の範囲】
【請求項１】
防水加工の紙袋（Ｗａｔｅｒｐｒｏｏｆ  Ｄｉｓｐｏｓａｌ  Ｂａｇ）は袋の内側に防水のコーティングがしてある為、袋の中に水分を含んだものを入れても外に漏れない。袋の上部の開閉口に封が出来れば、尚一層の密封性のある漏れ防止袋になることから、袋の裏側上部に粘着テープ付シールを設ける。袋を使用中は、粘着テープの上にシールを付着させることで違和感なく使用出来、袋を使用した後封をしたい場合は、シールを剥がしシールの下の粘着テープに折り目部分を付着させることで簡単に封が出来る。密封性を高めることで臭い、漏れの心配がなくなり、また、袋、シールは紙製であるため燃えるごみとして処理出来ることから、環境に配慮した袋として貢献出来る。
【請求項２】
粘着テープ付シールの両端の部分５ｍｍには粘着テープとシールが付着しないようにすることで、シールを簡単に剥がすことが出来る。それにより子どもから、お年寄りまでが簡単にシールを剥がして袋に封をすることが出来る。
【考案の詳細な説明】
【技術分野】
【０００１】  本考案は、防水加工紙袋（Ｗａｔｅｒｐｒｏｏｆ  Ｄｉｓｐｏｓａｌ  Ｂａｇ）の裏側部分に、粘着テープ付シールを取り付け、袋に封が出来る様にして、上部開閉口からの漏れ防止を設けることにより、色々な用途に活用できる袋に関するものである。
【背景技術】
【０００２】  防水加工紙袋（Ｗａｔｅｒｐｒｏｏｆ  Ｄｉｓｐｏｓａｌ  Ｂａｇ）を使用した後、袋の上部を折りたたむか、丸めるかのどちらかで燃えるごみとして捨てていた。袋の上部開閉口から、袋の中の臭い、水分を含んだものを入れた場合漏れることもある。
【考案の開示】
【考案が解決しようとする課題】
【０００３】  防水加工紙袋（Ｗａｔｅｒｐｒｏｏｆ  Ｄｉｓｐｏｓａｌ  Ｂａｇ）の裏側部分に粘着性のものを取り付け、袋を使用した後に袋を折り曲げ、粘着性の部分とを付着させ袋に封をすることで、袋上部開閉口からの中の臭い、漏れを防ぐことが出来、前述の欠点を解決しようとするものである。
【課題を解決するための手段】
【０００４】  本考案は防水加工紙袋（Ｗａｔｅｒｐｒｏｏｆ  Ｄｉｓｐｏｓａｌ  Ｂａｇ）の裏側上部に粘着テープ付シールを設け、袋に折り目線を入れ、袋を折ると剥がしたシールの下の粘着テープに付着し、袋に封をすることができることにより問題点を解決している。
【考案の効果】
【０００５】  上述の様に、本考案の漏れ防止シール付防水加工紙袋は、袋に封が出来ることにより袋の密封性を高め、吐袋だけではなくノロヴィルス患者からの感染予防、幼児の使用済みオムツの処理袋、失禁パットの処理袋、生理用品の処理袋、ごみ袋等、活用範囲を広めることが出来る。ビニールではなく紙製である為、燃えるごみとして処理出来ることで、環境にも配慮した袋として役立つ。
【考案を実施するための最良の形態】
【０００６】  防水加工紙袋（Ｗａｔｅｒｐｒｏｏｆ  Ｄｉｓｐｏｓａｌ  Ｂａｇ）の裏側上部ミシン目から２．５ｃｍと５．０ｃｍに折れ目線を入れ、▲１▼▲２▼と記号を入れることで袋の閉じ方をわかり易くする。５．０ｃｍの折れ目線の下に粘着テープ付シール横４．０ｃｍ・縦２．５ｃｍを貼り、シールの両端５ｍｍには、シールが粘着テープに付着しないようにし、簡単にシールを剥がせるようにする。また、袋の閉じ方の説明も入れることで子どもからお年寄りまでが、簡単に袋に封をすることが出来る。
【実施例】
【０００７】  以下、添付図面に従って一実施例を説明する。１は防水加工紙袋の表、２は防水加工紙袋の裏である。３，４はミシン目になっており、５は袋の角底である。使用方法は３，４のミシン目にそって破き、袋を広げて使用する。使用後袋の閉じ方を９の説明を見て行なう。８の粘着テープ付シールを剥がし６の▲１▼折り目線を折り、７の▲２▼折り目線を折ると８の粘着テープに付着し、袋を簡単に封をすることが出来る。
【産業上の利用可能性】
【０００８】  防水加工紙袋であり、袋に封が出来ることで、活用範囲を広めることが出来る。運送、サービス分野では車の乗り物酔い・酒酔いのお客様のサービスに、教育分野では、校内外活動での気分の悪くなる生徒の非常袋として、医療分野では、入院患者、ノロヴィルス患者の感染防止に、男性の軽失禁者、女性の生理品の応急的な汚物入れの代用として、幼児については、緊急時にミルクを冷ます容器として、オムツの後始末袋としても活用出来る。また、レジャー時の車内のごみ袋として、緊急時の飲み水用容器の代用も出来る。燃えるごみとして処理出来ることは、環境に配慮した袋として貢献出来る。
【図面の簡単な説明】
【０００９】
【図１】  本考案の漏れ防止シール付防水加工紙袋の一実施例を示す正面図（表）である。
【図２】  本考案の漏れ防止シート付防水加工紙袋の一実施例を示す正面図（裏）である。
【符号の説明】
【００１０】  １  漏れ防止シール付防水加工紙袋本体表
２  漏れ防止シール付防水加工紙袋本体裏
３  袋使用時、袋を破く為のミシン目表
４  袋使用時、袋を破く為のミシン目裏
５  漏れ防止シール付防水加工紙袋本体角底
６  折り目線▲１▼
７  折り目線▲２▼
８  粘着テープ付シール
９  袋の閉じる方の説明
【図１】
0003137088.tif 000003
【図２】
0003137088.tif 000004
【手続補正書】
【提出日】平成19年8月8日(2007.8.8)
【手続補正１】
【補正対象書類名】実用新案登録請求の範囲
【補正対象項目名】全文
【補正方法】変更
【補正の内容】
【実用新案登録請求の範囲】
【請求項１】
防水加工紙袋の裏側上部に、紙製の粘着テープ付シールを設け、袋を使用した後にシールを剥がし、袋を折りたたんだ折り目部分に、シールを剥がした下の粘着テープに付着させることで、袋の上部開閉口からの漏れを防げ、密封性を高める袋を特徴とする漏れ防止シール付防水加工紙袋。
【請求項２】
紙製の粘着テープ付シールのシール部分の両端５ｍｍには、シールと粘着テープとが付着しないことにより、誰にでも簡単にシールを剥がせることを特徴とする漏れ防止シール付防水紙袋。
(57)【要約】【目的】  温かいものや冷たいものをカップ・グラスなどの容器に入れたままの状態で、長い時間にわたり保温して、いつでも、温かいものを温かく、あるいは、冷たいものを冷たく、飲食できるようにすることが本考案の目的である。【構成】  カップ・グラスなどの容器とその蓋を、それぞれ、内外に二重のガラス壁の隙間を中空とし、かつ、一体として密封する、という構成からなっている。【選択図】図１
0003137089.tif 000002
【実用新案登録請求の範囲】
【請求項１】
内外に二重のガラス壁の隙間を中空とし、かつ、これを一体として密封した構造からなる、コップ・グラスなどの容器と蓋を組み合わせた食器。
【考案の詳細な説明】
【技術分野】
【０００１】  この考案は、コップ・グラス等の容器と蓋を組み合わせた保温食器である。
【背景技術】
【０００２】（イ）熱い紅茶・コーヒーなどの温かいもの、あるいは、冷えたジュース・水などの冷たものを、コップ・グラスなどの容器に入れたままの状態で長い時間にわたり保温して、いつでも、温かいものは温かく、冷たいものは冷たく飲食したいものである。
（ロ）そこで、現在、コップ・グラスなどの容器は、そこに入れた飲食物を長い時間にわたり保温するために、魔法瓶の構造と同様に、内外に二重のガラス壁の隙間を中空とし、かつ、これを一体として密封した構造となっている。また、コップ・グラスなどの容器に蓋をすることによって、この容器の中から熱が発散するのを遮断している。【０００３】（ハ）ところが、この容器の蓋は、木製や陶器製などガラス製ではないものが多いし、また、ガラス製でも、一重のガラス壁であるから、容器の中からの熱の発散を十分に抑えることができなかった。
【考案の開示】
【考案が解決しようとする課題】
【０００４】  この考案が解決しようする問題点は、次の通りである。
（イ）先ず、温かいもの、あるいは、冷たいものを、コップ・グラスなどの容器（１）に入れたままの状態で長い時間にわたり保温して、いつでも、温かいものを温かく、冷たいものを冷たく、飲食できるようにする必要がある。
（ロ）次に、温かいものや冷たいものをコップ・グラスなどの容器（１）に入れたとしても、この容器（１）の中で、熱は対流し上方から発散しやすいので、上方からの熱損失を極力抑える必要がある。
（ハ）最後に、温かいもの、あるいは、冷たいものを、コップ・グラスなどの容器（１）に入れたままの状態で長い時間にわたり保温するためには、飲食物の周囲を全方向にわたって、容器のみならず、その蓋（２）をも断熱構造のものとする必要がある。
【課題を解決するための手段】
【０００５】  この考案が解決する手段は、次の通りである。
内外に二重のガラス壁（３）（４）の隙間（５）を中空とし、かつ、一体として密封した構造からなる、コップ・グラスなどの容器（１）と蓋（２）を組み合わせた食器である。
【考案の効果】
【０００６】  この考案の効果は、次の通りである。
（イ）先ず、カップ・グラス等の容器（１）の中で対流する熱が上方から発散しないようにして、熱損失を極力抑えることができる。これによって、省エネルギーとなる。
（ロ）次に、温かいもの、あるいは、冷たいものを、コップ・グラスなどの容器（１）に入れたままの状態で、長い時間にわたり保温することができる。
（ハ）最後に、冷たいものをコップ・グラスなどの容器（１）に入れても、あるいは、テーブルの上に置いても、結露による水滴が生じないので、コースターが不要となる。
【最良の実施例】
【０００７】  この考案の最良の実施例は、次の通りである。
（イ）先ず、コップ・グラスなどの容器（１）とその蓋（２）からなる食器であり、これらは、硼珪酸ガラスを素材として製作する。
（ロ）次に、この容器（１）と蓋（２）は、それぞれ、内外にわたり二重にしたガラス壁（３）（４）の隙間（５）を中空とし、かつ、一体として密封するという構造とする。
（ハ）最後に、コップ・グラスなどの容器（１）の上に、この蓋（２）を自重で密着させて置くことにする。
【実施例】
【０００８】  この考案の実施例は、次の通りである。
（イ）先ず、コップ・グラスなどの容器（１）とその蓋（２）からなる食器であり、これらは、硼珪酸ガラスを素材として製作する。
（ロ）次に、コップ・グラスなどの容器（１）を円筒形の形状とし、内外に二重のガラス壁（３）（４）の隙間（５）を中空とし、かつ、一体として密封する構造のものとする。これだけでも、一応、温かいものや冷たいものを保温することになる。
（ハ）更に、この容器の蓋（２）をズレ落ち止め（６）を付した円形とし、内外に二重のガラス壁（３）（４）の隙間（５）を中空とし、かつ、これを一体として密封する構造のものとする。
（ニ）最後に、コップ・グラスなどの容器（１）の上に、この蓋（２）を自重で密着させて置くことにする（７）。これによって、容器（１）の中の熱の対流による上方への発散を抑えることができる。
【図面の簡単な説明】
【０００９】
【図１】  本考案の容器及び蓋の断面図である。
【図２】  本考案の容器及び蓋の正面図である。
【符号の説明】
【００１０】  １    容器
２    蓋
３    外壁
４    内壁
５    隙間
６    ズレ落ち止め
７    密着円周ライン
【図１】
0003137089.tif 000003
【図２】
0003137089.tif 000004
(57)【要約】      （修正有）【課題】うつ伏せ施術に用いる治療用マクラでの表面生地と側面生地を接合する縫合線による顔、肌への摩擦、過度の圧迫感、ライン跡が残る等、使用時における不快感を解消したマクラ及び、カバーを提供する。【解決手段】表面生地の3ａ、4ａ、5ａそれぞれの部分を連続して拡張し、左右対称に曲線でつなぎ、Ｄの部分を追加する事により、生地は立体的となり、さらに図3のＧ・Ｈの生地部分を追加することにより、表面生地と側面生地の縫合線の位置は低くなるので、完成されたマクラ及びカバーは顔、肌へ当たらないものとなる。【選択図】図2
0003137090.tif 000002
【実用新案登録請求の範囲】
【請求項１】
うつ伏せ治療用マクラの被覆材の表面生地に、顔と接する不快な縫合線をなくした形状を特徴とする、うつ伏せ治療用マクラの被覆材。
【請求項２】
請求項1に記載の被覆材の素材がレザー、布帛等縫合され、構成されることを特徴とするマクラ。
【請求項３】
請求項1に記載の治療用マクラ全体を覆うことができ、傾斜部分に合わせ、空洞部分をつくらない形状で、表面を切れ目の無い１枚の布で形成し、顔が当たる部分に縫合線が無いのを特徴とするカバー。
【請求項４】
請求項３に記載のカバー素材が布帛織物、ニット地等で縫合され、洗濯に適応していることを特徴とするカバー。
【考案の詳細な説明】
【技術分野】
【０００１】
この考案はうつ伏せ施術に用いる治療用マクラのC型、U型、馬蹄型等の形状で、顔が埋まる部分に窪みのあるマクラ、クッションの被覆材又はカバーの形状に関する。
【背景技術】
【０００２】
従来のマクラ又はクッション等は図1に示すように、表面生地と側面生地を接続する縫合線は、傾斜部分より下の窪み部分にあり、顔を埋めた際に肌に当たっていた。又、カバーにおいては表面を切れ目の無い１枚の布で、窪みに合わせた縫製が出来なかった。
【考案の開示】
【考案が解決しようとする課題】
【０００３】
しかしながら、以上の技術によれば、表面生地と側面生地を接続する縫合線による肌への摩擦、過度の圧迫感、ライン跡が残る等の使用時における不快感があった。特にマクラに被せるカバーは、窪みに合わせて立体裁断をすると表面の布を2分割以上していた為、縫合線により不快感があった。
そこで、この考案は、うつ伏せ治療用マクラの不快な縫合線をなくして、快適な施術ができるようにし、さらに洗濯が容易にできるカバーを提供することを課題とする。
【課題を解決するための手段】
【０００４】
以上の課題を解決するために、第一考案は、うつ伏せ治療用マクラの被覆材の表面生地に顔と接する不快な縫合線をなくした形状を特徴とする、うつ伏せ治療用マクラの被覆材。
第二考案は、第一考案の被覆材の素材がレザー、布帛等縫合され、構成されることを特徴とする。
第三考案は、第一考案の治療用マクラ全体を覆うことができ、傾斜部分に合わせ、空洞部分をつくらない形状で、表面を切れ目の無い１枚の布で形成し、顔が当たる部分に縫合線が無いのを特徴とするカバー。
第四考案は、第三考案のカバー素材が布帛織物、ニット地等で縫合され、洗濯に適応していることを特徴とする。
【考案の効果】
【０００５】
第一考案、第二考案、第三考案、第四考案の考案によれば、うつ伏せ施術用、治療用マクラの表面部分にある縫合線が顔に当たらなくなり快適になる。
【考案を実施するための最良の形態】
【０００６】
この考案の一実施形態を、図2の表面生地の拡張方法に示す。
マクラの被覆材はレザー又は布帛であり、マクラ本体の原型より外周1〜2の寸法は、変更することなく中心部分の顔が埋まる窪みのある部分の布地を3を始点に3ａを拡張 Ｄ にし、次に4を始点に4ａを拡張 Ｄ し、5を始点に5ａを拡張 Ｄ しながら左右対称に傾斜に応じて拡張する寸法、位置、数量を対処する。
【０００７】
「実施形態の効果」
この実施形態によれば、拡張された部分により布地が立体的になり、マクラ中心部分の顔が埋まる窪みのある部分が、内部クッションの傾斜にも合うようになる。図3の被覆材裁断図の従来品では、中心部に生地の余裕が無かった為、表面部分と側面部分を縫合線Ｅ・Ｆの位置が高くなっていたが、考案品では中心部分を拡張しているので、表面部分を1枚布で大きく裁断され、側面部分との縫合線Ｇ・Ｈの位置が低くなる。したがって顔を埋めた時マクラの縫合線による肌への摩擦、過度の圧迫感、ライン跡が残らなくなり快適になります。よってうつ伏せ施術に最適な安定感のある治療用マクラが、より一層品質改良されます。
【０００８】
「他の実施形態」
図１の実施形態では、丸みをおびた形状であるが、他の実施形態では、長方形等様々な形状にも図１のように傾斜に合わせた拡張部分を対処し、マクラ、クッション外観形状を変更したものでもよい。
又、カバーにおいてはマクラ本体上面部を覆い、マクラ本体側面、裏面部をゴム、紐等でマクラにずれないように設置されたものでもよい。
【図面の簡単な説明】
【０００９】
【図１】うつ伏せ用治療用マクラ
【図２】表面生地の拡張方法
【図３】被覆材裁断図
【符号の説明】
【００１０】
図1     例１    従来のマクラ 1
例2    従来のマクラ2
図2     1    外周の印
2    外周の印
3    拡張部分の始点
4    拡張部分の始点
5    拡張部分の始点
3ａ  3を始点に円弧状に拡張する部分
4ａ  4を始点に円弧状に拡張する部分
5ａ  5を始点に円弧状に拡張する部分
Ａ  表面生地の分割部分
Ｂ  表面生地の分割部分
Ｃ  表面生地の分割部分
Ｄ  拡張された部分
I   １番目に拡張する展開図
II  ２番目に拡張する展開図
III ３番目に拡張する展開図
図3    Ｅ  従来のマクラの額部分
Ｆ  従来のマクラの頬部分
Ｇ  考案のマクラの額部分
Ｈ  考案のマクラの頬部分
【図１】
0003137090.tif 000003
【図２】
0003137090.tif 000004
【図３】
0003137090.tif 000005
【手続補正書】
【提出日】平成19年8月30日(2007.8.30)
【手続補正１】
【補正対象書類名】実用新案登録請求の範囲
【補正対象項目名】請求項３
【補正方法】変更
【補正の内容】
【請求項３】
前記うつ伏せ治療用マクラの被覆材が、更に傾斜部分に合わせ、空洞部分をつくらない形状で、表面を切れ目の無い１枚の布で形成し、顔が当たる部分に縫合線が無いカバーに覆われていることを特徴とする、請求項１記載うつ伏せ治療用マクラの被覆材。
【手続補正２】
【補正対象書類名】実用新案登録請求の範囲
【補正対象項目名】請求項４
【補正方法】変更
【補正の内容】
【請求項４】
前記カバーが布帛織物、ニット地等で縫合され、洗濯に適応している素材からなる事を特徴とする、請求項３記載のうつ伏せ治療用マクラの被覆材。
(57)【要約】      （修正有）【課題】囲炉裏は天井から鍋を吊るため移動が出来ない。そこで、デザイン的に風流で、移動が出来るミニ囲炉裏を提供する。【解決手段】鍋を吊るうでを、火鉢に固定するため、移動が自由に出来る。【選択図】図１
0003137083.tif 000002
【実用新案登録請求の範囲】
【請求項１】
丸太の木材に穴を空け、火鉢を埋め込み、木材の上の部分に穴を空け、うでを作る．火鉢と鍋を吊るうでが一体のため火鉢が移動出来る事、デザイン的に風流である事を特徴とした、ミニ囲炉裏火鉢
【考案の詳細な説明】
【技術分野】移動するためとデザイン的ミニ囲炉裏火鉢に関する．
【背景技術】天井から鍋を吊る．木製角火鉢、
【考案の開示】
【考案が解決しようとする課題】囲炉裏が移動出来ない．角火鉢鍋がつれない
【課題を解決するための手段】鍋を吊るうでを火鉢に固定するため、移動できるデザイン的に風流である
【考案を実施するための最良の形態】
【実施例】火鉢の木材部分に穴を開けうでを取り付ける
【図面の簡単な説明】
【図１】全体の正面図
【図２】考案の特徴
【符号の説明】
（Ａ）木材丸太
（Ｂ）火鉢
（Ｃ）丸太よりうでで、鍋吊るうで
（Ｄ）鍋
【図１】
0003137083.tif 000003
【図２】
0003137083.tif 000004
【手続補正書】
【提出日】平成19年8月10日(2007.8.10)
【手続補正１】
【補正対象書類名】実用新案登録請求の範囲
【補正対象項目名】全文
【補正方法】変更
【補正の内容】
【実用新案登録請求の範囲】
【請求項１】
丸太Ａを輪切りにして略中央上面に有底の穴をあけ、そこへ火鉢Ｂを埋め込むとともに、丸太上面の周縁寄りに、支柱Ｃを立設し、さらにその支柱Ｃの上端から火鉢中心部上方へ向けて腕を伸ばし、同腕の火鉢の中心部上方位置に、鍋用の吊下部材を設けたことを特徴とする移動ミニ囲炉裏火鉢．
(57)【要約】【課題】  ロールペーパー、清掃具、小物、ダストボックス等が別々に置かれているトイレに少ないスペースで多量のロールペーパーと清掃具、小物、ダスト等を同時に整然と収納できるケースの提供を課題とするものである。【解決手段】  本考案は（１）積み重ねたロールペーパーを３箇所収納できる直角三角形を基本とする形状であって、ロールペーパーの３箇所のうち、９０度側以外の２箇所のロールペーパー間にできる隙間を利用した収納スペース、或いは（２）並列、並列と縦列に積み重ねたロールの間、或いは端に清掃具、小物、ダスト等の収納スペースを設けたケースを提供することにより事により整然とした収納を可能とし、課題を解決しようとするものである。【選択図】  図２
0003137990.tif 000002
【実用新案登録請求の範囲】
【請求項１】
コーナーに設置するロールペーパー収納ケースであって、（１）９０度側をコーナー側とする直角三角形を基本とする形状で（２）三角形内に収まる３箇所に積み重ねたロールペーパー収納スペースを設定した場合、（３）９０度側以外のロールペーパーとロールペーパーの間に出来る隙間に掃除具、小物、ダストボックス等の収納スペースを設けたコーナー設置型ロールペーパー収納ケース。
【請求項２】
（１）複数段積み重ねたロールペーパーを並列、或いは、並列と縦列に収納できるスペースを有する収納ケースであって（２）ロールペーパーとロールペーパーの間、或いは端の部分に掃除具、小物、ダストボックス等の収納スペースを設けたロールペーパー収納ケース。
【考案の詳細な説明】
【技術分野】
【０００１】
本考案はロールペーパー、小物、掃除具、ダスト等の収納具である。
【背景技術】
【０００２】
従来のロールペーパー収納ケースはロールペーパーのみの収納が主であり、ロールペーパー収納ケースに清掃具、小物収納、ダストボックス等の収納スペースの併設されているものは本考案の形式とは異なる家具調のものが見られるのみで稀である。
【考案の開示】
【考案が解決しようとする課題】
【０００３】
ロールペーパー、掃除具、小物、ダストボックス等が別々に置かれているトイレにロールペーパー、清掃具、小物、ダスト等を同時に整然と収納できるケースを提供することを課題とするものである。
【課題を解決するための手段】
【０００４】
本考案は、従来の問題点を解決するための手段として（１）コーナーに設置する直角三角形を基本とする形状であって、その三角形内に３箇所の積み重ねたロールペーパー収納スペースを設定した場合に９０度側以外のロールペーパーとロールペーパーの間にできる隙間に、或いは（２）複数段積み重ねたロールペーパーを並列、或いは並列と縦列に収納できるスペースを有するロールペーパー収納ケースのロールペーパーとロールペーパーの間、或いは、端の部分に（３）収納スペースを作ることによりロールペーパーと掃除具、小物、ダスト等の収納が可能なロールペーパー収納ケースを提供するものである。
【考案の効果】
【０００５】
上述のように、本考案のロールペーパー収納ケースはトイレ、或いは洗面所等のコーナー、隙間に設置できるコンパクトな形状でロールペーパーは外部より見えず、崩れることなく多量に収納でき、しかも、掃除具、小物、ダスト等が同じケースに整然と収納が出来る効果がある。
【考案を実施するための最良の形態】
【０００６】
以下、図１〜６を参照して本考案の実施の形態に係る構造を説明する。
【実施例】
【０００７】
以下、添付図面に従って実施の形態に係る構造を説明する。図１は請求項１に該当する直角三角形を基本とするコーナー設置タイプのロールペーパー、及び清掃具、小物、ダスト等の収納ケースの参考外観斜視図である。ダスト収納部は１０、清掃具、小物収納部は１である。扉２はロールペーパー収納、取り出し用である。扉１，２，１０の開閉方向、方式，位置、個数等、或いはロールペーパーの収納，取り出し方法も正面扉２のみならず、天板３側から行う場合もあり図示に限定するものではない。ケースコーナー形状７に関しても同様に図示のアールに限定するものではなく角の場合も含まれる。
【０００８】
図2は上記収納ケース図１の透視斜視図である。９０度側ロールペーパー９をコーナー設置側とする直角三角形を基本とする形状で９０度側以外の２箇所のロールペーパー４とロールペーパー４の間にできる隙間に収納部５を設定した形態を説明する図である。ロールペーパーの収納段数、収納部５の形状は図示に限定するものではない。直角の角度も厳密に９０度に限定するものではない。
【０００９】
図３は請求項２に該当する２個以上並列積み重ね設置したロールペーパーの間にダスト１０、小物１、清掃具１等の収納部を設置した外観参考斜視図である。収納部扉１、ダスト収納部１０、及び、ロール収納部扉２の形状、開閉方式、位置、個数等は図示に限定するものではない。ケースフレーム７の形状も図示の様なアールに限定するものではない。
【００１０】
図４は上記収納ケース図３の透視斜視図である。収納部５の設置場所をロールペーパー４とロールペーパー４の間に設定した参考図である。収納部のサイズ、個数、割り振り、位置等は図示に限定するものではない。図示ではロールペーパー４の収納列数は２列であるが複数列の収納、及び横向き積み重ね収納の場合も含まれる。
【００１１】
図５はロールペーパー４を横向きに積み重ね収納し、端にダストボックス１０、小物、清掃具収納１を設置した参考透視斜視図である。上記同様、ロールペーパーの収納列数、段数、及び、収納部の位置、個数、扉の方式、形状等は図示に限定するものではない。
【００１２】
図６は並列と縦列に積み重ね収納するロールペーパー４の間に清掃具、小物収納部１、ダスト収納１０を設けた参考透視斜視図である。ロールペーパーの収納取り出し方法、収納段数、列数、及び収納部の配列、位置、個数、サイズ等は図示に限定するものではない。
【図面の簡単な説明】
【００１３】
【図１】本考案のコーナー設置型収納ケースの形態を示す外観斜視図である。
【図２】本考案のコーナー設置型図１の透視斜視図である。
【図３】本考案の収納部をロール間に設置したケースの外観斜視図である。
【図４】本考案の収納部をロール間に設置した図３の透視斜視図である。
【図５】本考案の収納部を有するロールの横向き収納ケースの形態を示す透視斜視図である。
【図６】本考案の収納部を有するロールの並列、及び縦列収納ケース透視斜視図である。
【符号の説明】
【００１４】
１  小物，清掃具等の収納部
２  ロールペーパー収納部扉
３  天板
４  ロールペーパー
５  小物、清掃具、ダスト等の収納部分
６  底板
７  ケースフレーム
８  取っ手
９  コーナー側ロールペーパー
１０  ダストボックス
【図１】
0003137990.tif 000003
【図２】
0003137990.tif 000004
【図３】
0003137990.tif 000005
【図４】
0003137990.tif 000006
【図５】
0003137990.tif 000007
【図６】
0003137990.tif 000008
(57)【要約】【課題】半導体ランプの提供。【解決手段】本考案の半導体ランプは、電極線、発光基材、電極コイル、ガラス管、シリコン層、及び、二絶縁プラグからなり、その特徴は、電極線外環は、酸化ケイ素と窒化ガリウム等の発光基材を被覆し、基材外は、螺旋電極コイルが発光体を形成し、ガラス管内径に一体嵌置し、シリコン層を充填して一体定位し、また、電極線、及び、電極コイル両端は、ガラス管両側を接続して、絶縁座上の電極棒を係合し、電極コイルが発光基材を励磁して、低電力半導体光源を提供する。【選択図】図２
0003137965.tif 000002
【実用新案登録請求の範囲】
【請求項１】
半導体ランプであって、電極線、発光基材、電極コイル、ガラス管、シリコン層、二絶縁プラグからなり、
前記電極線は導電の銅材線体で、
前記発光基材は、それぞれ、二環層が前記電極線の外環を被覆し、内層は酸化ケイ素、酸化アルミニウム、或いは、酸化チタン等の同属性基材で、外層は窒化ガリウム系列（窒化アルミニウム、窒化インジウム）、リン化ガリウム、ガリウムヒ素、リン化インジウム等の第三族、四族、五族系列の化合物で、
前記電極コイルは導電する銅材線体が等間隔で螺旋状を呈し、前記発光基材外環は発光主体を形成し、
前記ガラス管はガラス殻体両側開口が外に向かって環座を拡張し、発光主体がガラス管内径に嵌入し、
前記シリコン層は透明、或いは、蛍光粉を添加したシリコン粘着剤を発光主体とガラス管間の隙間に充填し、
前記二絶縁プラグは絶縁の階段状環座体で、プラグの大環径面はそれぞれ相対する二導電棒を有し、ランプが入力電源を接続し、小さい環径は、前記環座を係合し、また、各環径面は二通孔を有し、前記電極線と電極コイルの一端が穿入して、二導電棒を連接し、
上述の素子により、前記電極線外環は、半導体基材構造を被覆し、外層の螺旋電極コイルが通電して発光基材を励磁し、半導体が光を生成し、蛍光粉を含有するシリコン層が多重光源色調と変化功能を提供することを特徴とする半導体ランプ。
【請求項２】
前記電極線は管状導電体であることを特徴とする請求項１に記載の半導体ランプ。
【請求項３】
前記電極線は管状導電体で、管体内に散熱アルミニウム線、或いは、銅線を有することを特徴とする請求項１に記載の半導体ランプ。
【考案の詳細な説明】
【技術分野】
【０００１】
本考案は半導体ランプに関するものであって、特に、低電力半導体光源を提供する半導体ランプに関するものである。
【背景技術】
【０００２】
ランプは、台湾において重要な輸出製品であったが、近年、価格競争のために、産業が隣国に移り、国内企業は大きい打撃が受けている。よって、新しい科学技術製品の品質の向上が求められている。欧米に輸出するランプの構造は、公知のガラスランプ殻内で二導電ピンがタングステン線を橋接し、タングステン線に通電させて、光エネルギーと熱エネルギーを生成する。この構造では、電流量が光の輝度を決定するので、現代のエネルギー不足の状況下では使用に適さず、更に、伴って生成される高熱エネルギーは、室内での使用において、冷却システムが消耗する電荷が増加し、故に、このランプ構造の欠点を改善する必要がある。
【考案の開示】
【考案が解決しようとする課題】
【０００３】
本考案の目的は、電極線、発光基材、電極コイル、ガラス管、シリコン層、及び、二絶縁プラグからなり、低電力半導体光源を提供する半導体ランプを提供することにある。
【課題を解決するための手段】
【０００４】
本考案の半導体ランプは、電極線の外環は、内外層に酸化ケイ素、及び、窒化ガリウム等の発光基材を被覆し、基材外は、螺旋電極コイルが発光体を形成する。
【０００５】
本考案の半導体ランプは、発光基材がガラス管内径間に嵌置され、シリコン層が充填されて、一体定位功能を有する。
【０００６】
本考案の半導体ランプは、電極コイルが発光基材外に設置されて励磁効果を有し、半導体が光源を発する。
【考案の効果】
【０００７】
本考案により、低電力半導体光源の半導体ランプが提供される。
【考案を実施するための最良の形態】
【０００８】
図１〜図４は、本考案の半導体ランプを示す図で、電極線１、発光基材２、電極コイル３、ガラス管５、シリコン層６、二絶縁プラグ７、７Aからなる。電極線１は導電の銅材線体である。発光基材２は、それぞれ、二環層が電極線１の外環を被覆する。内層２Aは酸化ケイ素、酸化アルミニウム、或いは、酸化チタン等の同属性基材で、外層２Bは窒化ガリウム系列（窒化アルミニウム、窒化インジウム）、リン化ガリウム、ガリウムヒ素、リン化インジウム等の第三族、四族、五族系列の化合物である。電極コイル３は導電する銅材線体が等間隔で螺旋状を呈し、発光基材２外環は発光主体を形成する。ガラス管５はガラス殻体両側開口が外に向かって環座５A、５Bを拡張し、発光主体がガラス管内径に嵌入する。シリコン層６は透明、或いは、蛍光粉を添加したシリコン粘着剤を発光主体とガラス管間の隙間に充填する。二絶縁プラグ７、７Aは絶縁の階段状環座体で、プラグの大環径面はそれぞれ相対する二導電棒８を有し、ランプが入力電源を接続する。小さい環径は、環座５A、５Bを係合し、また、各環径面は二通孔を有し、電極線１と電極コイル３の一端が穿入して、二導電棒８を連接する。
【０００９】
本考案の実施は、図３と図４で示されるように、電極線１外環は、半導体発光基材２構造を被覆し、外層の螺旋電極コイル３が通電して発光基材を励磁し、半導体が光を生成する。また、蛍光粉を含有するシリコン層が多重光源色調と変化功能を提供し、その使用電量は一般のランプの八分の一から十分の一で、蛍光灯の二分の一、使用寿命は5万時間以上で、発熱しない環境に優しい照明光源の低電力半導体光源である。
【００１０】
本考案のもう一つの実施例が図５で示され、電極線１は管状の導電体で、管体内は散熱アルミニウム線１A、或いは、銅線を穿設し（冷却システムを接続してもよい）、一体延伸してランプを連接し、高効率の散熱効果を達成する。
【図面の簡単な説明】
【００１１】
【図１】本考案の好ましい実施例図である。
【図２】本考案の素子分解立体図である。
【図３】本考案の素子組成断面図である。
【図４】本考案の断面図である。
【図５】本考案のもう一つの実施例図である。
【符号の説明】
【００１２】
１  電極線
２  発光基材
２A  内層
２B  外層
３  電極コイル
５  ガラス管
６  シリコン層
５A、５B環座
７、７A  二絶縁プラグ
８  導電棒
【図１】
0003137965.tif 000003
【図２】
0003137965.tif 000004
【図３】
0003137965.tif 000005
【図４】
0003137965.tif 000006
【図５】
0003137965.tif 000007